(57)【要約】【課題】煩雑な操作を必要とせずに、コンバータレンズの装着状態を検出することができるレンズアクセサリ検出装置、レンズアクセサリ、レンズ鏡筒、及び、カメラシステムを提供する。【解決手段】コンバータレンズ１の取り付け部近傍に設けられたマグネット５を検出するホール素子４を主撮影レンズ２の先端部に設ける。このホール素子４の検出結果により、主撮影レンズにコンバータレンズ１が取り付けられたことを判断する。また、ホール素子を複数個設けて、コンバータレンズ側のマグネットの大きさを、コンバータレンズの種類に応じて変更しておくことにより、装着されたコンバータレンズの種類を検出することができる。【選択図】                図２
2004219812.tif 000002
【特許請求の範囲】
【請求項１】
主レンズ系側の取り付け部近傍に設けられるレンズアクセサリの取り付け部近傍に設けられた磁性体を検出する磁気センサと、
前記磁気センサの検出結果により、少なくとも前記主レンズ系に前記レンズアクセサリが取り付けられたことを判断する検出結果判断部と、
を備えるレンズアクセサリ検出装置。
【請求項２】
請求項１に記載のレンズアクセサリ検出装置において、
前記レンズアクセサリの種類に応じて前記磁性体と前記磁気センサとの組み合わせが複数設定されており、
前記検出結果判断部は、前記磁気センサの検出結果から得られる前記磁性体の配置状態から、装着された前記レンズアクセサリの種類を判断すること、
を特徴とするレンズアクセサリ検出装置。
【請求項３】
請求項２に記載のレンズアクセサリ検出装置において、
前記磁気センサが複数設けられており、
前記検出結果判断部は、磁気を検出した前記磁気センサの数により前記レンズアクセサリの種類を判断すること、
を特徴とするレンズアクセサリ検出装置。
【請求項４】
請求項１から請求項３までのいずれか１項に記載のレンズアクセサリ検出装置において、
前記磁性体及び前記磁気センサは非接触であり、外部に露出していないこと、
を特徴とするレンズアクセサリ検出装置。
【請求項５】
請求項１から請求項４までのいずれか１項に記載のレンズアクセサリ検出装置において、
前記磁気センサは、ホール素子又は磁気抵抗効果素子であること、
を特徴とするレンズアクセサリ検出装置。
【請求項６】
請求項１から請求項５までのいずれか１項に記載のレンズアクセサリ検出装置において、
前記レンズアクセサリは、前記主レンズ系の物体側に装着することにより装着後の全レンズ系の焦点距離を変化させるコンバータレンズであること、
を特徴とするレンズアクセサリ検出装置。
【請求項７】
主レンズ系の物体側に装着するレンズアクセサリにおいて、
前記主レンズ系側の取り付け部近傍に設けられた磁気センサにより検出可能な磁性体を取り付け部近傍に設けたこと、
を特徴とするレンズアクセサリ。
【請求項８】
請求項７に記載のレンズアクセサリにおいて、
前記レンズアクセサリは、前記主レンズ系の物体側に装着することにより装着後の全レンズ系の焦点距離を変化させるコンバータレンズであること、
を特徴とするレンズアクセサリ。
【請求項９】
主レンズ系と、
前記主レンズ系側の取り付け部近傍に設けられるレンズアクセサリの取り付け部近傍に設けられたレンズアクセサリ検出部と、
前記主レンズ系による撮影像の結像系の少なくとも一部を駆動することにより撮影像のブレを補正するブレ補正部と、
前記レンズアクセサリ検出部の検出結果により、前記ブレ補正部の駆動を変更する制御部と、
を備えるレンズ鏡筒。
【請求項１０】
請求項９に記載のレンズアクセサリにおいて、
前記レンズアクセサリ検出部は、磁性体を検出する磁気センサであること、
を特徴とするレンズ鏡筒。
【請求項１１】
主レンズ系と、
請求項１から請求項３までのいずれか１項に記載のレンズアクセサリ検出装置と、
を備えるレンズ鏡筒。
【請求項１２】
主レンズ系と、
前記主レンズ系側の取り付け部近傍に設けられるレンズアクセサリの取り付け部近傍に設けられた磁性体を検出する磁気センサと、
前記磁気センサの検出結果をカメラ本体に伝達する磁気検出結果伝達部と、
を備えるレンズ鏡筒。
【請求項１３】
請求項１０から請求項１２までのいずれか１項に記載のレンズ鏡筒において、
前記磁性体及び前記磁気センサは非接触であり、外部に露出していないこと、
を特徴とするレンズ鏡筒。
【請求項１４】
請求項１０から請求項１３までのいずれか１項に記載のレンズ鏡筒において、
前記磁気センサは、ホール素子又は磁気抵抗効果素子であること、
を特徴とするレンズ鏡筒。
【請求項１５】
請求項９から請求項１４までのいずれか１項に記載のレンズ鏡筒において、
前記レンズアクセサリは、前記主レンズ系の物体側に装着することにより装着後の全レンズ系の焦点距離を変化させるコンバータレンズであること、
を特徴とするレンズ鏡筒。
【請求項１６】
主レンズ系と、
前記主レンズ系により得られた像を撮像する撮像部と、
請求項１から請求項６までのいずれか１項に記載のレンズアクセサリ検出装置と、
を備えるカメラシステム。
【発明の詳細な説明】
【０００１】
【発明の属する技術分野】
本発明は、主レンズ系側の取り付け部近傍に設けられ、前記主レンズ系の物体側に装着することにより装着後の全レンズ系の焦点距離を変化させるコンバータレンズを検出するレンズアクセサリ検出装置、レンズアクセサリ、レンズ鏡筒、及び、カメラシステムに関するものである。
【０００２】
【従来の技術】
従来、主レンズ系の物体側に装着して全系の焦点距離を変化させるためのコンバータレンズが用いられている。このようなコンバータレンズは、一般的に全系の焦点距離を主レンズ系に対し、望遠系（テレコンバータ）、又は、広角系（ワイドコンバータ）にするものである（例えば、特許文献１参照）。
【０００３】
【特許文献１】
特開２００１−１７４７０２号公報
【０００４】
【発明が解決しようとする課題】
しかし、前述した従来の例では、コンバータレンズをつけたことがカメラシステムで自動的に判別できないという問題があった。
すなわち、カメラシステムにおいて焦点距離情報を用いる制御等を行っている場合には、コンバータレンズを装着することにより焦点距離が変化し、最適な制御ができなくなるという問題があった。例えば、ブレ補正光学系を駆動することにより、ブレ補正を行っている場合、焦点距離が変化すると、像面におけるブレ量が変化するが、コンバータレンズを装着したことがレンズ鏡筒側において判らないと、必要以上にブレ補正レンズ群を移動してしまったり、その逆に、ブレ補正レンズ群の移動量が少なすぎたりして、正しくブレ補正を行うことができなかった。
また、撮影レンズがズームレンズの場合、装着するコンバータレンズの種類によっては、特定の焦点距離領域では、画角の一部がけられてしまうという問題があった。
さらに、上述の問題を解決するために、コンバータレンズを装着したということを手動でカメラ装置に入力するという手法があるが、操作が煩雑であったり、入力を忘れると、最適な制御ができなくなったりするという問題があった。
【０００５】
本発明の課題は、煩雑な操作を必要とせずに、コンバータレンズの装着状態を検出することができるレンズアクセサリ検出装置、レンズアクセサリ、レンズ鏡筒、及び、カメラシステムを提供することである。
【０００６】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、主レンズ系（２，２２）側の取り付け部近傍に設けられるレンズアクセサリ（１，Ａ，Ｂ，Ｃ）の取り付け部近傍に設けられた磁性体（５，２５Ａ，２５Ｂ，２５Ｃ）を検出する磁気センサ（４，２４）と、前記磁気センサの検出結果により、少なくとも前記主レンズ系に前記レンズアクセサリが取り付けられたことを判断する検出結果判断部（９）と、を備えるレンズアクセサリ検出装置である。
【０００７】
請求項２の発明は、請求項１に記載のレンズアクセサリ検出装置において、前記レンズアクセサリ（Ａ，Ｂ，Ｃ）の種類に応じて前記磁性体（２５Ａ，２５Ｂ，２５ｃ）と前記磁気センサ（２４）との組み合わせが複数設定されており、前記検出結果判断部（９）は、前記磁気センサの検出結果から得られる前記磁性体の配置状態から、装着された前記レンズアクセサリの種類を判断すること、を特徴とするレンズアクセサリ検出装置である。
【０００８】
請求項３の発明は、請求項２に記載のレンズアクセサリ検出装置において、前記磁気センサ（２４）が複数設けられており、前記検出結果判断部（９）は、磁気を検出した前記磁気センサの数により前記レンズアクセサリ（Ａ，Ｂ，Ｃ）の種類を判断すること、を特徴とするレンズアクセサリ検出装置である。
【０００９】
請求項４の発明は、請求項１から請求項３までのいずれか１項に記載のレンズアクセサリ検出装置において、前記磁性体（５，２５Ａ，２５Ｂ，２５Ｃ）及び前記磁気センサ（４，２４）は非接触であり、外部に露出していないこと、を特徴とするレンズアクセサリ検出装置である。
【００１０】
請求項５の発明は、請求項１から請求項４までのいずれか１項に記載のレンズアクセサリ検出装置において、前記磁気センサ（４，２４）は、ホール素子又は磁気抵抗効果素子であること、を特徴とするレンズアクセサリ検出装置である。
【００１１】
請求項６の発明は、請求項１から請求項５までのいずれか１項に記載のレンズアクセサリ検出装置において、前記レンズアクセサリ（１，Ａ，Ｂ，Ｃ）は、前記主レンズ系（２，２２）の物体側に装着することにより装着後の全レンズ系の焦点距離を変化させるコンバータレンズであること、を特徴とするレンズアクセサリ検出装置である。
【００１２】
請求項７の発明は、主レンズ系の物体側に装着するレンズアクセサリ（１，Ａ，Ｂ，Ｃ）において、前記主レンズ系（２，２２）側の取り付け部近傍に設けられた磁気センサ（４，２４）により検出可能な磁性体（５，２５Ａ，２５Ｂ，２５Ｃ）を取り付け部近傍に設けたこと、を特徴とするレンズアクセサリである。
【００１３】
請求項８の発明は、請求項７に記載のレンズアクセサリにおいて、前記レンズアクセサリ（１，Ａ，Ｂ，Ｃ）は、前記主レンズ系（２，２２）の物体側に装着することにより装着後の全レンズ系の焦点距離を変化させるコンバータレンズであること、を特徴とするレンズアクセサリである。
【００１４】
請求項９の発明は、主レンズ系（２，２２）と、前記主レンズ系側の取り付け部近傍に設けられるレンズアクセサリ（１，Ａ，Ｂ，Ｃ）の取り付け部近傍に設けられたレンズアクセサリ検出部（４，２４）と、前記主レンズ系による撮影像の結像系の少なくとも一部を駆動することにより撮影像のブレを補正するブレ補正部と、前記レンズアクセサリ検出部の検出結果により、前記ブレ補正部の駆動を変更する制御部と、を備えるレンズ鏡筒である。
【００１５】
請求項１０の発明は、請求項９に記載のレンズアクセサリにおいて、前記レンズアクセサリ検出部（４，２４）は、磁性体を検出する磁気センサであること、を特徴とするレンズ鏡筒である。
【００１６】
請求項１１の発明は、主レンズ系（２，２２）と、請求項１から請求項３までのいずれか１項に記載のレンズアクセサリ検出装置と、を備えるレンズ鏡筒である。
【００１７】
請求項１２の発明は、主レンズ系（２，２２）と、前記主レンズ系側の取り付け部近傍に設けられるレンズアクセサリ（１，Ａ，Ｂ，Ｃ）の取り付け部近傍に設けられた磁性体（５，２５Ａ，２５Ｂ，２５Ｃ）を検出する磁気センサ（４，２４）と、前記磁気センサの検出結果をカメラ本体に伝達する磁気検出結果伝達部と、を備えるレンズ鏡筒である。
【００１８】
請求項１３の発明は、請求項１０から請求項１２までのいずれか１項に記載のレンズ鏡筒において、前記磁性体（５，２５Ａ，２５Ｂ，２５Ｃ）及び前記磁気センサ（４，２４）は非接触であり、外部に露出していないこと、を特徴とするレンズ鏡筒である。
【００１９】
請求項１４の発明は、請求項１０から請求項１３までのいずれか１項に記載のレンズ鏡筒において、前記磁気センサ（４，２４）は、ホール素子又は磁気抵抗効果素子であること、を特徴とするレンズ鏡筒である。
【００２０】
請求項１５の発明は、請求項９から請求項１４までのいずれか１項に記載のレンズ鏡筒において、前記レンズアクセサリ（１，Ａ，Ｂ，Ｃ）は、前記主レンズ系（２，２２）の物体側に装着することにより装着後の全レンズ系の焦点距離を変化させるコンバータレンズであること、を特徴とするレンズ鏡筒である。
【００２１】
請求項１６の発明は、主レンズ系（２，２２）と、前記主レンズ系により得られた像を撮像する撮像部と、請求項１から請求項６までのいずれか１項に記載のレンズアクセサリ検出装置と、を備えるカメラシステムである。
【００２２】
【発明の実施の形態】
以下、図面等を参照しながら、本発明の実施の形態について、更に詳しく説明する。
（第１実施形態）
図１は、本発明によるコンバータレンズ１及びコンバータレンズ検出装置を含む主撮影レンズ２及びカメラ本体３を示す図である。
本実施形態における主撮影レンズ２は、不図示の撮像部に被写体像を結像する主レンズ系であり、カメラ本体３に対して着脱自在な交換レンズである。主撮影レンズ２とカメラ本体３との接続部には、不図示の接点が設けられており、電源の供給、情報通信を行うことができるようになっている。
コンバータレンズ１は、主撮影レンズ２の被写体側に設けられたフィルタねじ部にねじ込むことにより、主撮影レンズ２の先端部に装着され、全レンズ系の焦点距離を変化させるレンズアクセサリである。
【００２３】
図２は、コンバータレンズ１を主撮影レンズ２から取り外した状態を示す図である。図２（ａ）は、図１に対応する図であり、図２（ｂ）は、矢印Ｙ１方向からコンバータレンズ１を見た図であり、図２（ｃ）は、矢印Ｘ１方向から主撮影レンズ２を見た図である。
コンバータレンズ１の装着面には、磁性体としてマグネット５が配置されている。
【００２４】
主撮影レンズ２の先端部には、磁気センサとしてホール素子４が配置されている。
ここで、ホール素子４とマグネット５の位置は、コンバータレンズ１を主撮影レンズ２に対してフィルタねじ部によりねじ込み、確実に装着した状態で、対向する位置となるように設けられている。
コンバータレンズ１を主撮影レンズ２に装着すると、マグネット５がホール素子４と対向する位置で固定される。そうすると、マグネット５の磁場がホール素子４に印加されて、ホール電圧がホール素子４に発生する。
【００２５】
図３は、磁界の強さとホール素子４に発生するホール電圧との関係を示す図である。
ホール電圧と磁界の強さとは、ほぼ比例関係にあり、マグネット５がホール素子４に近づくにつれてホール電圧が強くなる。
図４は、本実施形態の回路を示す図である。
ホール素子４に発生したホール電圧は、図４に示す電源６，アンプ８を有する増幅回路により増幅されて、不図示の接点（磁気検出結果伝達部）を介してカメラ本体３内に設けられたＣＰＵ９に入力される。
ＣＰＵ９は、ホール電圧が判定レベル以上となったときに、コンバータレンズ１が装着されていると判断する検出結果判断部として働き、その判断結果をその後の各種制御に反映する。この判定レベルは、コンバータレンズ１が完全に装着されたときのホール電圧よりも低く設定されており、コンバータレンズ１の取り付けが完全でなくても確実にコンバータレンズ１を検出できるようになっている。また、ＣＰＵ９は、レンズ鏡筒にブレ補正機能が設けられている場合には、ブレ補正駆動部の駆動を制御する制御部としての働きも有する。
【００２６】
コンバータレンズ１が装着されたことが検出されると、ＣＰＵ９は、これに対応した処理を行う。
例えば、装着可能なコンバータレンズの種類が１種類に限られている場合には、コンバータレンズ１の倍率が判っているので、主撮影レンズ２のズーミング可能範囲を限定し、仮に撮影者の操作によりこのズーミング可能範囲を超えた場合に、警告を行うことにより、画面周辺部がけられることを防止する。
また、主撮影レンズ２にブレ補正の機能が設けられている場合には、コンバータレンズ１の倍率に基づいてＣＰＵ９によりブレ補正動作における係数を変更し、適正なブレ補正動作を行うことができるようにする。
【００２７】
本実施形態によれば、コンバータレンズ１を装着したことを、自動的にカメラ本体３に伝えることができるので、特別な操作をすることなく最適な制御を行うことができる。
また、磁力を利用していることから、コンバータレンズ側に電源等が不要であり、接点なども必要なく、コンバータレンズ及び主撮影レンズを簡単な構造で、低価格にすることができる。
【００２８】
（第２実施形態）
図５は、第２実施形態を説明する図である。図５（ａ）は、コンバータレンズＡ及びコンバータレンズ検出装置を含む主撮影レンズ２２及びカメラ本体２３を示す図であり、図５（ｂ）は、矢印Ｙ２方向からコンバータレンズＡを見た図であり、図５（ｃ）は、矢印Ｘ２方向から主撮影レンズ２２を見た図である。また、図５（ｄ）及び図５（ｅ）は、それぞれ、コンバータレンズＡとは異なる種類のコンバータレンズＢ，Ｃを図５（ｂ）と同様に示した図である。
第２実施形態は、コンバータレンズが装着されたことに加えて、装着されているコンバータレンズの種類を検出することができる形態である。
【００２９】
主撮影レンズ２２の結合部には、ホール素子が円周方向に沿って等間隔で８個配置されている。
一方、コンバータレンズの結合部では、コンバータレンズＡは、図に示すように主レンズ系のホール素子２個を含む大きさより大きく３個を含む大きさより小さいマグネット２５Ａ（結合部側がＮ極）が配置されている。また、コンバータレンズＢには、ホール素子４個を含む大きさより大きく５個を含む大きさより小さいマグネット２５Ｂが配置されている。さらに、コンバータレンズＣには、ホール素子６個を含む大きさより大きいマグネット２５Ｃが配置されている。
【００３０】
本実施形態では、主撮影レンズ２２とコンバータレンズとの回転方向の位置関係にかかわらず、コンバータレンズＡを装着した場合には、１〜２個のホール素子２４がマグネット２５Ａを検出し、コンバータレンズＢを装着した場合には、３〜４個のホール素子２４がマグネット２５Ｂを検出し、コンバータレンズＣを装着した場合には、５〜６個のホール素子２４がマグネット２５Ｃを検出する。従って、マグネットを検出したホール素子の数により、コンバータレンズの種類の識別が可能になる。
なお、ホール素子２４は、Ｎ極、Ｓ極の判別が可能なので、コンバータレンズに取り付けられたマグネットを結合部側がＳ極になるような配置も組み合わせれば、識別可能なコンバータレンズの種類をさらに増やすことが可能である。
【００３１】
このように、マグネットを検出したホール素子の数により、装着されたコンバータレンズの種類が判るので、各コンバータレンズの倍率により異なるズーミング可能範囲、ブレ補正時の係数などを、装着されたコンバータレンズに最適となるように設定することができる。
【００３２】
本実施形態によれば、コンバータレンズが装着されたことに加えて、装着されているコンバータレンズの種類を検出することができる。したがって、装着されたコンバータレンズの種類に応じた最適な処理を行うことができる。
また、マグネットとホール素子の回転方向の位置関係は、いずれの位置であってもよいので、フィルタねじ部とマグネット及びホール素子との位置を正確にする必要が無く、製造を容易にすることができる。
さらに、主撮影レンズ２２にブレ補正の機能が設けられている場合には、装着されたコンバータレンズの倍率に基づいてブレ補正動作における係数を変更し、適正なブレ補正動作を行うことができる。したがって、装着されたコンバータレンズがテレコンバータであっても、ワイドコンバータであっても、さらに、装着していたコンバータレンズを取り外した場合であっても、特別な操作を行うことなく、適正なブレ補正を行うことができる。
【００３３】
（変形形態）
以上説明した実施形態に限定されることなく、種々の変形や変更が可能であって、それらも本発明の均等の範囲内である。
（１）各実施形態において、マグネットとホール素子は、接続面に露出している形態を示したが、これに限らず、例えば、これらをコンバータレンズ、主撮影レンズの外観部分に露出させないように形成してもよい。
【００３４】
（２）各実施形態において、磁気センサとしてホール素子を設けた例を示したが、これに限らず、例えば、磁気抵抗効果素子を用いてもよい。
【００３５】
（３）各実施形態において、ホール素子による磁気検出結果をカメラ本体内に設けられたＣＰＵ９へ伝達する例を示したが、これに限らず、例えば、主撮影レンズ内に設けられているレンズＣＰＵに磁気検出結果を伝達すると共に、このレンズＣＰＵによりコンバータレンズの有無、種類などを判断するようにしてもよい。
【００３６】
（４）各実施形態において、レンズ交換式のカメラシステムの例を示したが、これに限らず、例えば、主撮影レンズの交換ができないレンズ固定式のカメラシステムであってもよい。
【００３７】
（５）各実施形態において、磁気センサにより、コンバータレンズを検出する例を示したが、これに限らず、例えば、電気的な接点を設けたり、機械的なスイッチ機構を設けることにより、コンバータレンズを検出してもよい。
【００３８】
（６）各実施形態において、コンバータレンズを検出する例を示したが、これに限らず、例えば、装着されたフィルタの種類を検出したり、その他の各種アクセサリを検出するようにしてもよい。
【００３９】
【発明の効果】
以上詳しく説明したように、本発明によれば、以下の効果を奏することができる。
（１）磁性体を検出する磁気センサと、磁気センサの検出結果により、少なくとも主レンズ系にレンズアクセサリが取り付けられたことを判断する検出結果判断部とを備えるので、レンズアクセサリが装着されたことを自動的に検出することができ、レンズアクセサリが装着されたことにより影響を受ける部分に対応した制御を行うことができる。
【００４０】
（２）検出結果判断部は、磁気センサの検出結果から得られる磁性体の配置状態から、装着されたレンズアクセサリの種類を判断するので、装着されたレンズアクセサリの種類に応じて、より細かい対応を行うことができる。
【００４１】
（３）検出結果判断部は、磁気を検出した磁気センサの数によりレンズアクセサリの種類を判断するので、簡単な構成によりレンズアクセサリの種類を判断することができる。
【００４２】
（４）磁性体及び磁気センサは非接触であり、外部に露出していないので、ねじ込み式のレンズアクセサリであっても、対応することができる。また、外観品質を悪化することなく、レンズアクセサリの検出を行うことができる。
【００４３】
（５）磁気センサは、ホール素子又は磁気抵抗効果素子であるので、小型であっても、確実な磁気検出を行うことができる。
【００４４】
（６）レンズアクセサリは、コンバータレンズであるので、焦点距離の変化に応じて最適な処理を行うことができる。
【００４５】
（７）ブレ補正部を備えたレンズ鏡筒にレンズアクセサリ検出部を設けたので、レンズアクセサリとしてコンバータレンズ等が装着された場合であっても、コンバータレンズの倍率に関する情報を正確に得ることができ、像面における像のブレ量を正確に演算することができる。したがって、コンバータレンズの着脱時に特別な操作をすることなくブレ補正動作を正確に行うことができる。
【図面の簡単な説明】
【図１】本発明によるコンバータレンズ１及びコンバータレンズ検出装置を含む主撮影レンズ２及びカメラ本体３を示す図である。
【図２】コンバータレンズ１を主撮影レンズ２から取り外した状態を示す図である。
【図３】磁界の強さとホール素子４に発生するホール電圧との関係を示す図である。
【図４】本実施形態の回路を示す図である。
【図５】第２実施形態を説明する図である。
【符号の説明】
１，Ａ，Ｂ，Ｃ  コンバータレンズ
２，２２  主撮影レンズ
３  カメラ本体
４，２４  ホール素子
５，２５Ａ，２５Ｂ，２５Ｃ  マグネット
６  電源
８  アンプ
９  ＣＰＵ
【図１】
2004219812.tif 000003
【図２】
2004219812.tif 000004
【図３】
2004219812.tif 000005
【図４】
2004219812.tif 000006
【図５】
2004219812.tif 000007